(57)【要約】【課題】収納部から有価媒体を取り出す際の用途に応じてアクセス許容状態を選択することができ、しかも第１アクセス許容状態では所定の条件を満たさない収納部から有価媒体が取り出されて持ち去られてしまうことを防止することができる有価媒体処理装置を提供する。【解決手段】有価媒体処理装置１０、１１０は、各収納部３０ａ〜３０ｆ、１４０、１４２、１４４に収納されている有価媒体へのアクセスを制限するためのアクセス制限手段９０、１９０を備えている。アクセス制限手段は、複数の収納部のうち所定の条件を満たす収納部に収納されている有価媒体のみへのアクセスを許容する第１アクセス許容状態および全ての収納部に収納されている有価媒体へのアクセスを許容する第２アクセス許容状態のうちいずれかの許容状態で各収納部に収納されている有価媒体へのアクセスを許容する。【選択図】図６
2020154960.tif 000002
【特許請求の範囲】
【請求項１】
有価媒体がそれぞれ収納される複数の収納部と、
各前記収納部に収納されている有価媒体へのアクセスを制限するためのアクセス制限手段と、
を備え、
前記アクセス制限手段は、複数の前記収納部のうち所定の条件を満たす前記収納部に収納されている有価媒体のみへのアクセスを許容する第１アクセス許容状態および全ての前記収納部に収納されている有価媒体へのアクセスを許容する第２アクセス許容状態のうちいずれかの許容状態で各前記収納部に収納されている有価媒体へのアクセスを許容する、有価媒体処理装置。
【請求項２】
各前記収納部には、前記収納部に収納されている有価媒体に関するエラーが発生したときにエラーが発生したことを検知するエラー検知部がそれぞれ設けられており、
前記アクセス制限手段は、前記エラー検知部によりエラーが発生したことが検知されたときに、当該エラー検知部が設けられている前記収納部が前記所定の条件を満たしたと判断し、前記第１アクセス許容状態において前記所定の条件を満たす前記収納部に収納されている有価媒体へのアクセスを許容する、請求項１記載の有価媒体処理装置。
【請求項３】
各前記収納部には、当該収納部に収納されている有価媒体を前記収納部から繰り出す繰出部がそれぞれ設けられており、
前記アクセス制限手段は、前記第１アクセス許容状態において所定の条件を満たす前記収納部に設けられた前記繰出部へのアクセスを許容する、請求項１または２記載の有価媒体処理装置。
【請求項４】
前記アクセス制限手段は、各前記収納部に対応して設けられる複数の第１扉部と、各前記第１扉部に対応して設けられ、各前記収納部に収納されている有価媒体へのアクセスを制限するよう前記第１扉部を施錠する複数の第１施錠部とを有しており、
前記アクセス制限手段は、前記所定の条件を満たす前記収納部に対応する前記第１施錠部による前記第１扉部の施錠を解除することにより、前記第１アクセス許容状態において前記第１扉部の施錠が解除された前記収納部に収納されている有価媒体へのアクセスを許容する、請求項１乃至３のいずれか一項に記載の有価媒体処理装置。
【請求項５】
前記アクセス制限手段は、全ての前記収納部にまたがって設けられる第２扉部と、全ての前記収納部に収納されている有価媒体へのアクセスを制限するよう前記第２扉部を施錠する第２施錠部とを有しており、
各前記第１扉部は前記第２扉部に設けられており、
前記アクセス制限手段は、前記第２施錠部による前記第２扉部の施錠を解除することにより、前記第２アクセス許容状態において全ての前記収納部に収納されている有価媒体へのアクセスを許容する、請求項４記載の有価媒体処理装置。
【請求項６】
各前記第１施錠部は、通電すると対応する前記第１扉部の施錠を解除する、請求項４または５記載の有価媒体処理装置。
【請求項７】
前記第２施錠部は、物理的な力が与えられると前記第２扉部の施錠を解除する、請求項５記載の有価媒体処理装置。
【請求項８】
前記アクセス制限手段は、前記所定の条件を満たす前記収納部に対応する前記第１施錠部による前記第１扉部の施錠を解除した後、当該第１扉部が前記収納部を完全に塞ぐ位置から浮き上がるようにする、請求項４乃至７のいずれか一項に記載の有価媒体処理装置。
【請求項９】
操作者が内部指示を入力するための操作部を更に備え、
複数の前記収納部のうちある前記収納部に収納されている有価媒体へのアクセスを許容する旨の内部指示が前記操作部により入力されると、前記アクセス制限手段は、前記操作部により入力された内部指示に係る前記収納部が前記所定の条件を満たしたと判断し、前記第１アクセス許容状態において前記所定の条件を満たす前記収納部に収納されている有価媒体へのアクセスを許容する、請求項１乃至８のいずれか一項に記載の有価媒体処理装置。
【請求項１０】
前記操作部を操作する操作者の権限の認証を行う認証手段を更に備え、
前記アクセス制限手段は、前記認証手段により操作者の権限が所定の権限であると認証された場合においてのみ、複数の前記収納部のうちある前記収納部に収納されている有価媒体へのアクセスを許容する旨の内部指示が前記操作部により入力されると、前記操作部により入力された内部指示に係る前記収納部が前記所定の条件を満たしたと判断する、請求項９記載の有価媒体処理装置。
【請求項１１】
別の装置から通信により外部指示を受け付けるための指示受付部を更に備え、
複数の前記収納部のうちある前記収納部に収納されている有価媒体へのアクセスを許容する旨の外部指示が前記指示受付部により受け付けられると、前記アクセス制限手段は、前記指示受付部により受け付けられた外部指示に係る前記収納部が前記所定の条件を満たしたと判断し、前記第１アクセス許容状態において前記所定の条件を満たす前記収納部に収納されている有価媒体へのアクセスを許容する、請求項１乃至１０のいずれか一項に記載の有価媒体処理装置。
【請求項１２】
各前記収納部に収納される有価媒体は貨幣であり、各前記収納部には貨幣が金種毎に収納されるようになっている、請求項１乃至１１のいずれか一項に記載の有価媒体処理装置。
【発明の詳細な説明】
【技術分野】
【０００１】
本発明は、貨幣等の有価媒体の処理を行う有価媒体処理装置に関する。
【背景技術】
【０００２】
従来から、紙幣や硬貨等の貨幣の処理を行う貨幣処理装置として様々なタイプのものが知られている（例えば、特許文献１等参照）。一般的な貨幣処理装置では、筐体の内部に複数の収納繰出部が設けられており、貨幣の入金処理が行われる際に操作者により投入口から筐体の内部に投入された貨幣は、識別部により金種等が識別された後に、各収納繰出部に金種毎に収納されるようになっている。また、このような貨幣処理装置では、貨幣の出金処理が行われる際に各収納繰出部から繰り出された貨幣が投出口から筐体の外部に投出されるようになっている。
【先行技術文献】
【特許文献】
【０００３】
【特許文献１】特開２０１５−１６２１２１号公報
【発明の概要】
【発明が解決しようとする課題】
【０００４】
上述したような従来の貨幣処理装置では、各収納繰出部をまたがるよう１つの扉が設けられており、この扉により各収納繰出部が覆われることによって各収納繰出部に収納されている貨幣へのアクセスが制限されていた。そして、一日の取引が終了した後、所定の権限を有する操作者（例えば、管理者）はこの扉を開けることにより各収納繰出部に収納されている貨幣を取り出して計数等を行っていた。
【０００５】
また、このような貨幣処理装置では、貨幣の出金処理が行われる際に各収納繰出部から貨幣が繰り出されるときに貨幣の詰まり等のトラブルが発生すると、貨幣処理装置を操作していた操作者（例えば、店舗の店員）は各収納繰出部を覆う扉を開くことにより詰まりの原因となる貨幣を取り除いていた。しかしながら、扉を開くと全ての収納繰出部に収納されている貨幣のアクセスが可能となるため、悪意のある操作者によって他の収納繰出部から貨幣が取り出されて持ち去られてしまうおそれがあった。
【０００６】
本発明は、このような点を考慮してなされたものであり、特定の収納部のみから有価媒体を取り出し可能となる第１アクセス許容状態および全ての収納部から有価媒体を取り出し可能となる第２アクセス許容状態のうちいずれかを選択することができるため収納部から有価媒体を取り出す際の用途に応じてアクセス許容状態を選択することができ、しかも第１アクセス許容状態では所定の条件を満たさない収納部から有価媒体が取り出されて持ち去られてしまうことを防止することができる有価媒体処理装置を提供することを目的とする。
【課題を解決するための手段】
【０００７】
本発明の有価媒体処理装置は、有価媒体がそれぞれ収納される複数の収納部と、各前記収納部に収納されている有価媒体へのアクセスを制限するためのアクセス制限手段と、を備え、前記アクセス制限手段は、複数の前記収納部のうち所定の条件を満たす前記収納部に収納されている有価媒体のみへのアクセスを許容する第１アクセス許容状態および全ての前記収納部に収納されている有価媒体へのアクセスを許容する第２アクセス許容状態のうちいずれかの許容状態で各前記収納部に収納されている有価媒体へのアクセスを許容することを特徴とする。
【０００８】
このような有価媒体処理装置によれば、特定の収納部のみから有価媒体を取り出し可能となる第１アクセス許容状態および全ての収納部から有価媒体を取り出し可能となる第２アクセス許容状態のうちいずれかを選択することができるため収納部から有価媒体を取り出す際の用途に応じてアクセス許容状態を選択することができ、しかも第１アクセス許容状態では所定の条件を満たさない収納部から有価媒体が取り出されて持ち去られてしまうことを防止することができる。
【０００９】
本発明の有価媒体処理装置においては、各前記収納部には、前記収納部に収納されている有価媒体に関するエラーが発生したときにエラーが発生したことを検知するエラー検知部がそれぞれ設けられており、前記アクセス制限手段は、前記エラー検知部によりエラーが発生したことが検知されたときに、当該エラー検知部が設けられている前記収納部が前記所定の条件を満たしたと判断し、前記第１アクセス許容状態において前記所定の条件を満たす前記収納部に収納されている有価媒体へのアクセスを許容してもよい。
【００１０】
また、各前記収納部には、当該収納部に収納されている有価媒体を前記収納部から繰り出す繰出部がそれぞれ設けられており、前記アクセス制限手段は、前記第１アクセス許容状態において所定の条件を満たす前記収納部に設けられた前記繰出部へのアクセスを許容してもよい。
【００１１】
また、前記アクセス制限手段は、各前記収納部に対応して設けられる複数の第１扉部と、各前記第１扉部に対応して設けられ、各前記収納部に収納されている有価媒体へのアクセスを制限するよう前記第１扉部を施錠する複数の第１施錠部とを有しており、前記アクセス制限手段は、前記所定の条件を満たす前記収納部に対応する前記第１施錠部による前記第１扉部の施錠を解除することにより、前記第１アクセス許容状態において前記第１扉部の施錠が解除された前記収納部に収納されている有価媒体へのアクセスを許容してもよい。
【００１２】
この場合、前記アクセス制限手段は、全ての前記収納部にまたがって設けられる第２扉部と、全ての前記収納部に収納されている有価媒体へのアクセスを制限するよう前記第２扉部を施錠する第２施錠部とを有しており、各前記第１扉部は前記第２扉部に設けられており、前記アクセス制限手段は、前記第２施錠部による前記第２扉部の施錠を解除することにより、前記第２アクセス許容状態において全ての前記収納部に収納されている有価媒体へのアクセスを許容してもよい。
【００１３】
また、各前記第１施錠部は、通電すると対応する前記第１扉部の施錠を解除してもよい。
【００１４】
また、前記第２施錠部は、物理的な力が与えられると前記第２扉部の施錠を解除してもよい。
【００１５】
また、前記アクセス制限手段は、前記所定の条件を満たす前記収納部に対応する前記第１施錠部による前記第１扉部の施錠を解除した後、当該第１扉部が前記収納部を完全に塞ぐ位置から浮き上がるようにしてもよい。
【００１６】
本発明の有価媒体処理装置は、操作者が内部指示を入力するための操作部を更に備え、複数の前記収納部のうちある前記収納部に収納されている有価媒体へのアクセスを許容する旨の内部指示が前記操作部により入力されると、前記アクセス制限手段は、前記操作部により入力された内部指示に係る前記収納部が前記所定の条件を満たしたと判断し、前記第１アクセス許容状態において前記所定の条件を満たす前記収納部に収納されている有価媒体へのアクセスを許容してもよい。
【００１７】
この場合、本発明の有価媒体処理装置は、前記操作部を操作する操作者の権限の認証を行う認証手段を更に備え、前記アクセス制限手段は、前記認証手段により操作者の権限が所定の権限であると認証された場合においてのみ、複数の前記収納部のうちある前記収納部に収納されている有価媒体へのアクセスを許容する旨の内部指示が前記操作部により入力されると、前記操作部により入力された内部指示に係る前記収納部が前記所定の条件を満たしたと判断してもよい。
【００１８】
本発明の有価媒体処理装置は、別の装置から通信により外部指示を受け付けるための指示受付部を更に備え、複数の前記収納部のうちある前記収納部に収納されている有価媒体へのアクセスを許容する旨の外部指示が前記指示受付部により受け付けられると、前記アクセス制限手段は、前記指示受付部により受け付けられた外部指示に係る前記収納部が前記所定の条件を満たしたと判断し、前記第１アクセス許容状態において前記所定の条件を満たす前記収納部に収納されている有価媒体へのアクセスを許容してもよい。
【００１９】
本発明の有価媒体処理装置においては、各前記収納部に収納される有価媒体は貨幣であり、各前記収納部には貨幣が金種毎に収納されるようになっていてもよい。
【発明の効果】
【００２０】
本発明の有価媒体処理装置によれば、収納部から有価媒体を取り出す際の用途に応じてアクセス許容状態を選択することができ、しかも第１アクセス許容状態では所定の条件を満たさない収納部から有価媒体が取り出されて持ち去られてしまうことを防止することができる。
【図面の簡単な説明】
【００２１】
【図１】本発明の実施の形態による貨幣処理機の外観を示す斜視図である。
【図２】図１に示す貨幣処理機の硬貨処理装置の内部を上方から鉛直方向下方に向かって見たときの構成を示す構成図である。
【図３】図２に示す硬貨処理装置におけるリジェクト部および収納部の構成を示す側面図である。
【図４】図２に示す硬貨処理装置の内側筐体を外側筐体から手前側に引き出したときの状態を示す斜視図である。
【図５】図４に示す状態から収納扉を上方に開いたときの状態を示す斜視図である。
【図６】図２に示す硬貨処理装置において収納扉およびこの収納扉に設けられた複数の金種別扉の構成を概略的に示す上面図である。
【図７】図２に示す硬貨処理装置において収納扉を上方に開いたときの状態を示す側面図である。
【図８】図２に示す硬貨処理装置において金種別扉を上方に開いたときの状態を示す側面図である。
【図９】図２に示す硬貨処理装置において金種別扉を施錠する第１施錠部の構成を概略的に示す側面図である。
【図１０】図９に示す状態から第１施錠部による金種別扉の施錠が解除されたときの状態を示す側面図である。
【図１１】図２に示す硬貨処理装置において硬貨払出部が上蓋により隠れているときの状態を示す構成図である。
【図１２】図２に示す硬貨処理装置において硬貨払出部が上蓋から前方に進出して外部に露出したときの状態を示す構成図である。
【図１３】図２に示す硬貨処理装置における制御系の構成を示す機能ブロック図である。
【図１４】図１に示す貨幣処理機の紙幣処理装置の内部を上方から鉛直方向下方に向かって見たときの構成を示す構成図である。
【図１５】図１４に示す紙幣処理装置の内側筐体を外側筐体から手前側に引き出した後、収納扉を上方に開いたときの状態を示す斜視図である。
【図１６】図１４に示す紙幣処理装置の紙幣受入部の構成を示す斜視図である。
【図１７】図１６に示す紙幣受入部の正面図である。
【図１８】図１４に示す紙幣処理装置の紙幣受入部に第１ガイド部材および第２ガイド部材を取り付けたときの構成を示す斜視図である。
【図１９】図１８に示す紙幣受入部およびこの紙幣受入部に取り付けられた第１ガイド部材および第２ガイド部材の正面図である。
【図２０】図１４に示す紙幣処理装置の紙幣受入部の内部構成を概略的に示す側面図である。
【図２１】図１４に示す紙幣処理装置の紙幣受入部に第１ガイド部材および第２ガイド部材を取り付けたときの内部構成を概略的に示す側面図である。
【図２２】図１４に示す紙幣処理装置の紙幣受入部に投入される湾曲した紙幣の斜視図である。
【図２３】図１４に示す紙幣処理装置の紙幣受入部に投入された紙幣の隅部が折れ曲がったときの状態を示す斜視図である。
【発明を実施するための形態】
【００２２】
以下、図面を参照して本発明の実施の形態について説明する。図１乃至図２３は、本実施の形態に係る貨幣処理機を示す図である。このうち、図１は、本実施の形態による貨幣処理機の外観を示す斜視図であり、図２乃至図１３は、図１に示す貨幣処理機の硬貨処理装置の構成を説明するための図であり、図１４乃至図２３は、図１に示す貨幣処理機の紙幣処理装置の構成を説明するための図である。なお、図３において、本実施の形態による硬貨処理装置により処理される硬貨を参照符合Ｃで示す。また、図２２および図２３において、本実施の形態による紙幣処理装置により処理される紙幣を参照符合Ｐで示す。
【００２３】
コンビニエンスストアやスーパーマーケット等の商業施設の店舗において、顧客が立ち入ることができるフロント領域には様々な商品が陳列された商品棚が設置されているとともに、このフロント領域の精算所には図１に示すような貨幣処理機１（貨幣釣銭機）やＰＯＳレジスタ（図示せず）が設置されている。顧客がこのような精算所で精算処理を行う際に、店員は、顧客から受け取った商品の代金としての貨幣を貨幣釣銭機としての貨幣処理機１に入金したり、釣銭としての貨幣を貨幣処理機１から出金して顧客に返却したりするようになっている。また、ＰＯＳレジスタにより、顧客が購入した商品に係る情報や貨幣処理機１に収納されている貨幣に係る情報等の管理が行われるようになっている。また、このような店舗における顧客の立ち入りが禁止されたバックヤード領域（具体的には、例えば入金室）には、貨幣処理機１から回収された売上金としての貨幣を入金する出納機等の貨幣入出金機が設置されている。また、貨幣処理機１において釣銭としての貨幣が不足する場合には、貨幣入出金機から釣銭補充金としての貨幣を出金し、この貨幣入出金機から出金された釣銭補充金としての貨幣を貨幣処理機１に補充することができるようになっている。このような貨幣処理機１、ならびに当該貨幣処理機１を構成する硬貨処理装置１０および紙幣処理装置１１０の詳細について図１乃至図２３を用いて説明する。
【００２４】
図１に示すように、本実施の形態による貨幣処理機１は、略直方体形状の外側筐体１ａと、左右に並ぶよう配置され、外側筐体１ａからそれぞれ手前側に引出可能となっている硬貨処理装置１０および紙幣処理装置１１０とを備えており、硬貨処理装置１０や紙幣処理装置１１０の上面にはＰＯＳレジスタ（図示せず）が載置されるようになっている。硬貨処理装置１０および紙幣処理装置１１０は、それぞれ、硬貨や紙幣の入金処理および出金処理を行うようになっている。以下、硬貨処理装置１０および紙幣処理装置１１０の構成の詳細について述べる。
【００２５】
図２等に示すように、硬貨処理装置１０は、略直方体形状の内側筐体１１と、内側筐体１１の前面側に設けられ、硬貨の入金処理を行う際に操作者によって硬貨が投入される硬貨受入部１２と、内側筐体１１の前面側に設けられ、硬貨の出金処理を行う際に硬貨が払い出される硬貨払出部３６と、内側筐体１１の内部で硬貨を金種毎に収納する複数の硬貨収納部３０ａ〜３０ｆとを備えている。また、硬貨処理装置１０の内側筐体１１は外側筐体１ａから手前側に引き出し可能となっている。また、複数の硬貨収納部３０ａ〜３０ｆは内側筐体１１の幅方向（すなわち、図２の左右方向）に沿って並列に並ぶよう配置されており、各硬貨収納部３０ａ〜３０ｆにはそれぞれ５０円硬貨、５円硬貨、５００円硬貨、１００円硬貨、１０円硬貨および１円硬貨がこの順で収納されるようになっている。
【００２６】
硬貨受入部１２は、硬貨投入口を介して受け入れた硬貨を１層１列状態で１枚ずつ内側筐体１１内に取り込むようになっている。また、硬貨受入部１２には残留検知センサ１３が設けられており、硬貨受入部１２に受け入れられた硬貨は残留検知センサ１３によって検知されるようになっている。また、硬貨受入部１２には、図２における左方向に移動する繰出ベルト１４ａ等からなる繰出部１４が設けられており、硬貨受入部１２に受け入れられた硬貨が残留検知センサ１３によって検知されるとこの繰出部１４が駆動されることにより当該繰出部１４によって硬貨が内側筐体１１の内部に１枚ずつ繰り出されるようになっている。また、図２に示すように、硬貨受入部１２には、繰出部１４により内側筐体１１の内部に繰り出された硬貨を１層１列状態で搬送する入金搬送部１６が接続されている。
【００２７】
図３に示すように、入金搬送部１６は、略水平方向に延びる搬送面１６ｃを有しており、この搬送面１６ｃ上で硬貨は略水平方向の姿勢で搬送されるようになっている。また、入金搬送部１６は、複数のプーリ１６ｂにより張架された循環ベルト１６ａを有しており、繰出部１４により内側筐体１１の内部に繰り出された硬貨は循環ベルト１６ａとの間で働く摩擦力により内側筐体１１の内部で搬送されるようになっている。具体的には、循環ベルト１６ａは搬送面１６ｃからわずかな大きさの隙間（具体的には、概ね硬貨１枚分の厚さと略同一の大きさの隙間）を隔てて搬送面１６ｃの上方に配置されている。また、複数のプーリ１６ｂのうちある一つのプーリ１６ｂには駆動モータが接続されており、当該駆動モータによりプーリ１６ｂが回転させられることにより循環ベルト１６ａは図２における反時計回りの方向に循環移動するようになっている。また、循環ベルト１６ａの下端部には搬送面１６ｃ上の硬貨を押動するための押動ピン（図示せず）が等間隔で複数設けられており、循環ベルト１６ａが図２における反時計回りの方向に循環移動すると、搬送面１６ｃ上の硬貨が押動ピンにより内側筐体１１の奥行き方向に押動されるようになる。このようにして、繰出部１４により内側筐体１１の内部に繰り出された硬貨は内側筐体１１の内部における右側の領域において搬送面１６ｃ上で略水平方向の姿勢で当該内側筐体１１の奥行き方向に搬送されるようになる。
【００２８】
図２に示すように、入金搬送部１６の途中には、硬貨の金種、真偽、正損、表裏、新旧、搬送状態等の識別を行う識別部１８が設けられている。また、識別部１８により正常な硬貨ではないと識別された硬貨や識別部１８により識別することができなかった硬貨を入金搬送部１６の搬送面１６ｃから分岐させて後述するリジェクト口２６により内側筐体１１の外部に排出するリジェクト部２４が設けられている。図３に示すように、リジェクト部２４は、硬貨を立位状態で自重により送るリジェクトシュート２４ａを有している。なお、図３において、入金搬送部１６により搬送される硬貨やリジェクトシュート２４ａによりリジェクト口２６に立位状態で送られる硬貨を参照符合Ｃで示している。ここで、リジェクトシュート２４ａは水平方向に対して斜め下方に傾斜しており、このリジェクトシュート２４ａの下流側の端部には、内側筐体１１の前面側に設けられたリジェクト口２６が設けられている。リジェクト口２６は内側筐体１１の前面側からアクセス可能となっており、リジェクトシュート２４ａからリジェクト口２６に送られた硬貨（リジェクト硬貨）を操作者は内側筐体１１の前面側から当該内側筐体１１の外部に取り出して硬貨受入部１２に再投入等することができるようになる。また、リジェクトシュート２４ａの上流側端部には、入金搬送部１６からリジェクトシュート２４ａへの硬貨の入口が設けられている。また、リジェクト部２４は、識別部１８により正常な硬貨ではないと識別された硬貨や識別部１８により識別することができなかった硬貨を入金搬送部１６の搬送面１６ｃから分岐させるためのゲート部材２５を有している。
【００２９】
図３に示すように、ゲート部材２５は略水平方向に延びる軸２５ａを有しており、この軸２５ａを中心として揺動するようになっている。このような軸２５ａは、入金搬送部１６による硬貨の搬送方向の下流側の端部に配置されている。また、ゲート部材２５は、図３において実線で示すような、略水平方向の姿勢となる閉止位置と、図３において二点鎖線で示すような、このような閉止位置から上方に突出する分岐位置との間で軸２５ａを中心として揺動するようになっており、ゲート部材２５が閉止位置に位置しているときには、このゲート部材２５の上面２５ｂは入金搬送部１６の搬送面１６ｃと略同一平面上に位置するようになる。このことにより、ゲート部材２５が閉止位置に位置しているときには、入金搬送部１６における搬送面１６ｃ上で搬送される硬貨は当該ゲート部材２５によりリジェクト部２４のリジェクトシュート２４ａに分岐されずにゲート部材２５の上面２５ｂを通って各金種別分岐部２２に送られるようになる。一方、ゲート部材２５が分岐位置に位置しているときには、入金搬送部１６における搬送面１６ｃ上で搬送される硬貨は当該ゲート部材２５によって入金搬送部１６からリジェクト部２４のリジェクトシュート２４ａに分岐され、このリジェクトシュート２４ａによりリジェクト口２６に送られるようになる。
【００３０】
図２に示すように、入金搬送部１６による硬貨の搬送方向におけるゲート部材２５の更に下流側には複数の金種別分岐部２２が各硬貨収納部３０ａ〜３０ｅに対応して直列に並ぶよう設けられている。具体的には、識別部１８により識別された硬貨の金種が５０円である場合には、図２における最も右側に位置する金種別分岐部２２により入金搬送部１６から当該５０円硬貨が分岐させられて硬貨収納部３０ａに送られるようになる。同様に、識別部１８により識別された硬貨の金種が５円である場合には、図２における右側から２番目に位置する金種別分岐部２２により入金搬送部１６から当該５円硬貨が分岐させられて硬貨収納部３０ｂに送られるようになる。また、識別部１８により識別された硬貨の金種が５００円である場合には、図２における右側から３番目に位置する金種別分岐部２２により入金搬送部１６から当該５００円硬貨が分岐させられて硬貨収納部３０ｃに送られるようになる。また、識別部１８により識別された硬貨の金種が１００円である場合には、図２における右側から４番目に位置する金種別分岐部２２により入金搬送部１６から当該１００円硬貨が分岐させられて硬貨収納部３０ｄに送られるようになる。また、識別部１８により識別された硬貨の金種が１０円である場合には、図２における右側から５番目に位置する金種別分岐部２２により入金搬送部１６から当該１０円硬貨が分岐させられて硬貨収納部３０ｅに送られるようになる。また、識別部１８により識別された硬貨の金種が１円である場合には、図２における右側から６番目に位置する金種別分岐部２２により入金搬送部１６から当該１円硬貨が分岐させられて硬貨収納部３０ｆに送られるようになる。このようにして識別部１８により識別された硬貨が各硬貨収納部３０ａ〜３０ｆに金種別に振り分けられてこれらの硬貨収納部３０ａ〜３０ｆに収納されるようになる。これらの各金種別分岐部２２は、上述したゲート部材２５と同様の構成のゲート部材によって、入金搬送部１６により搬送される硬貨を選択的に入金搬送部１６から分岐させるようになっている。
【００３１】
また、図２に示すように、入金搬送部１６による硬貨の搬送方向における各金種別分岐部２２の上流側には通過検知センサ２３が設けられており、入金搬送部１６により搬送される硬貨は当該通過検知センサ２３により検知されるようになっている。また、入金搬送部１６における奥行き方向に延びる搬送路にも通過検知センサ２３が設けられている。また、金種別分岐部２２は、当該金種別分岐部２２により入金搬送部１６から分岐されるべき硬貨が、金種別分岐部２２よりも２つ前に位置する通過検知センサ２３により検知されたときに、入金搬送部１６から硬貨を分岐させる動作を開始するようになっている。
【００３２】
図３に示すように、各硬貨収納部３０ａ〜３０ｆは、複数の硬貨が収納される硬貨収納領域３１を有している。また、各硬貨収納部３０ａ〜３０ｆには、硬貨収納領域３１に収容されている硬貨を当該硬貨収納領域３１から１枚ずつ繰り出す繰出部５０が設けられている。繰出部５０により各硬貨収納部３０ａ〜３０ｆの硬貨収納領域３１から繰り出された硬貨は硬貨払出部３６に送られ、この硬貨払出部３６に集積されるようになっている。より詳細には、図２に示すように、６つの硬貨収納部３０ａ〜３０ｆのうち右から３つの硬貨収納部３０ａ〜３０ｃの手前側には、硬貨払出部３６に向かって斜め下方にわずかに傾斜している硬貨案内溝３４が形成されており、繰出部５０により硬貨収納部３０ａ〜３０ｃの硬貨収納領域３１から繰り出された硬貨はこの硬貨案内溝３４に立位状態で入り、硬貨案内溝３４において図２における左方向に硬貨が立位状態で転がりながら移動することにより硬貨払出部３６に送られるようになる。一方、６つの硬貨収納部３０ａ〜３０ｆのうち左から３つの硬貨収納部３０ｄ〜３０ｆの硬貨収納領域３１から繰出部５０により繰り出された硬貨は硬貨払出部３６に直接送られるようになる。また、硬貨払出部３６は内側筐体１１の外部に露出しており、操作者はこの硬貨払出部３６に集積されている硬貨を手で掴んで内側筐体１１の外部に取り出すことができるようになっている。
【００３３】
図３に示すように、繰出部５０は、硬貨収納領域３１の底部に配置され、複数のプーリ５４により張架された帯状の繰出ベルト５２と、複数のプーリ５４のうちある一つのプーリ５４に接続され、当該プーリ５４を正逆両方向に回転させる駆動モータ（図示せず）と、繰出ベルト５２との間でわずかな隙間（具体的には、硬貨収納部３０ａ〜３０ｆに収納されるべき金種の硬貨の厚さよりもわずかに大きな隙間）を隔てて当該繰出ベルト５２の上方に配置される逆転ローラ５６とを有している。ここで、硬貨収納領域３１に収容される硬貨は繰出ベルト５２上に載置されるようになっている。また、繰出ベルト５２は無端状の（言い換えると、環状の）平ベルトからなり、当該繰出ベルト５２の幅の大きさは硬貨収納領域３１の幅の大きさと略同一となっている。そして、駆動モータによりこの駆動モータに接続されるプーリ５４が硬貨の繰出方向に回転させられると繰出ベルト５２は図３における時計回りの方向に循環移動し、この繰出ベルト５２上に載置されている硬貨は略水平姿勢で図３における右方向に搬送され、逆転ローラ５６と繰出ベルト５２との間に形成される隙間を通って硬貨案内溝３４または硬貨払出部３６に送られるようになる。ここで、逆転ローラ５６は繰出ベルト５２による硬貨の繰出方向と逆方向（すなわち、図３における時計回りの方向）に回転するようになっている。このことにより、繰出ベルト５２により繰り出される硬貨が逆転ローラ５６と繰出ベルト５２との間に形成される隙間を通る際に当該硬貨は１層１列状態に整列されるようになり、整列された硬貨が繰出ベルト５２により硬貨案内溝３４または硬貨払出部３６に送られるようになる。また、本実施の形態では、駆動モータがプーリ５４を硬貨の繰出方向とは逆方向に回転させることにより、繰出ベルト５２は硬貨の繰出方向と逆方向にも循環移動することができるようになっている。
【００３４】
また、各硬貨収納部３０ａ〜３０ｆには、硬貨収納部３０ａ〜３０ｆに収納されている硬貨に関するエラーが発生したときにエラーが発生したことを検知するエラー検知部３２（図１３参照）がそれぞれ設けられている。具体的には、各硬貨収納部３０ａ〜３０ｆには、繰出部５０により硬貨案内溝３４または硬貨払出部３６に繰り出される硬貨を検知する硬貨検知センサ（図示せず）が設けられている。そして、駆動モータによりこの駆動モータに接続されるプーリ５４が硬貨の繰出方向に回転させられることによって繰出ベルト５２が図３における時計回りの方向に循環移動しているにもかかわらず、硬貨検知センサにより硬貨が検知されない場合には、エラー検知部３２は、硬貨収納部３０ａ〜３０ｆに収納されている硬貨に関するエラーが発生したことを検知する。
【００３５】
また、本実施の形態の硬貨処理装置１０では、図４および図５に示すように、各硬貨収納部３０ａ〜３０ｆを覆う収納扉４０が設けられており、この収納扉４０を上方に開くと各硬貨収納部３０ａ〜３０ｆの硬貨収納領域３１にアクセスすることができるようになっている。より詳細には、図７に示すように、収納扉４０は水平方向に延びる軸４１を中心として回転自在となっており、図７における点線の位置から実線の位置となるよう収納扉４０を上方に開くことができるようになっている。また、図４等に示すように、収納扉４０は全て硬貨収納部３０ａ〜３０ｆをまたがるよう設けられている。このことにより、収納扉４０により各硬貨収納部３０ａ〜３０ｆが閉じられているときには、どの硬貨収納部３０ａ〜３０ｆの硬貨収納領域３１にもアクセスすることができない。一方、収納扉４０が上方に開かれると、全ての硬貨収納部３０ａ〜３０ｆの硬貨収納領域３１にアクセスすることができるようになる。また、図６に示すように、収納扉４０には、各硬貨収納部３０ａ〜３０ｆを閉じた状態で（言い換えると、図７における点線の位置に維持された状態で）収納扉４０を施錠する第２施錠部４２が設けられている。具体的には、第２施錠部４２にはカギ穴が形成されており、このカギ穴に特定の鍵４４を差し込んで回転させると第２施錠部４２による収納扉４０の施錠が解除されるようになっている。すなわち、通常時は、収納扉４０は各硬貨収納部３０ａ〜３０ｆを閉じた状態となっており（言い換えると、図７における点線の位置に維持された状態となっており）、このような状態で収納扉４０は第２施錠部４２によって施錠されることにより上方に開くことができないようになっている。一方、第２施錠部４２に形成されたカギ穴に特定の鍵４４を差し込んで回転させることによって第２施錠部４２による収納扉４０の施錠が解除されると、収納扉４０を上方に開く（言い換えると、図７において軸４１を中心として点線の位置から実線の位置に回転させる）ことができるようになる。
【００３６】
また、図６に示すように、各硬貨収納部３０ａ〜３０ｆに対応するよう収納扉４０には複数（具体的には、６つ）の金種別扉４６が設けられている。ここで、図８に示すように、各金種別扉４６は、それぞれ水平方向に延びる軸４７を中心として回転自在となっており、図８における点線の位置から実線の位置となるよう金種別扉４６を上方に開くことができるようになっている。ここで、収納扉４０が各硬貨収納部３０ａ〜３０ｆを閉じた状態となっていても、各金種別扉４６を上方に開くと、この金種別扉４６に対応する硬貨収納部３０ａ〜３０ｆの硬貨収納領域３１にアクセスすることができるようになっている。また、図６に示すように、収納扉４０には、各金種別扉４６に対応するよう複数（具体的には、６つ）の第１施錠部４８が設けられている。各第１施錠部４８は、対応する金種別扉４６を施錠するようになっている。ここで、通常時は、各金種別扉４６は第１施錠部４８により施錠されることによって図７や図８において点線の位置に維持されるようになっており、各金種別扉４６を収納扉４０から上方に開くことができないようになっている。一方、第１施錠部４８による金種別扉４６の施錠が解除されると、金種別扉４６を収納扉４０から上方に開く（言い換えると、図８において軸４７を中心として点線の位置から実線の位置に回転させる）ことができるようになる。
【００３７】
このような第１施錠部４８の構成の詳細について図９および図１０を用いて説明する。なお、図９は、第１施錠部４８により金種別扉４６が施錠されているときの状態を示す側面図であり、図１０は、第１施錠部４８による金種別扉４６の施錠が解除されたときの状態を示す側面図である。図９に示すように、金種別扉４６における軸４７が設けられた側と反対側の端部にはロックピン４６ａが設けられている。また、第１施錠部４８は、ロックピン４６ａに係合するロック部材４８ａと、ロック部材４８ａが先端に取り付けられたプランジャ４８ｃと、プランジャ４８ｃを図９等における左右方向に進退させるソレノイド４８ｅとを有している。ここで、ロック部材４８ａは軸４８ｂを中心として回転可能となっている。また、プランジャ４８ｃの周囲にはコイルバネ４８ｄが巻かれている。第１施錠部４８により金種別扉４６が施錠されているときには、ソレノイド４８ｅはプランジャ４８ｃを図９における左方向に伸ばすようになっている。このことにより、このプランジャ４８ｃの先端に設けられたロック部材４８ａがロックピン４６ａに係合することにより、収納扉４０に対して金種別扉４６を図９に示す状態から上方に開くことができなくなる。なお、第１施錠部４８により金種別扉４６が施錠されているときには、ソレノイド４８ｅは通電しないようになっている。一方、ソレノイド４８ｅが通電するとプランジャ４８ｃが図９における右方向に引っ張られる。このことにより、プランジャ４８ｃの周囲に設けられたコイルバネ４８ｄが収縮状態となる。また、このプランジャ４８ｃの先端に設けられたロック部材４８ａは軸４８ｂを中心として図１０における時計回りの方向に回転し、ロック部材４８ａがロックピン４６ａから外れるようになる。このため、収納扉４０に対して金種別扉４６を図１０に示す点線の位置から上方に開くことができるようになる。そして、金種別扉４６が収納扉４０に戻された後、図１０に示すような状態でソレノイド４８ｅが再び通電しないようになると、収縮状態にあるコイルバネ４８ｄが元の形状に戻ろうとしてプランジャ４８ｃを図１０における左方向に移動させる。このことにより、図９に示すようにロック部材４８ａによりロックピン４６ａがロックされ、よって金種別扉４６が再び第１施錠部４８によって施錠されるようになる。
【００３８】
また、本実施の形態では、第１施錠部４８による金種別扉４６の施錠が解除された後、この金種別扉４６が収納扉４０から（すなわち、図９において点線で示す位置から）自動的に上方に少しだけ浮き上がるようになっていてもよい。具体的には、第１施錠部４８による金種別扉４６の施錠が解除されると、金種別扉４６が図９において点線で示す位置から実線で示す位置に自動的に移動するようになっていてもよい。この場合には、複数の金種別扉４６のうち、第１施錠部４８による施錠が解除された金種別扉４６が一目で分かるようになる。
【００３９】
なお、本実施の形態の硬貨処理装置１０では、収納扉４０や各金種別扉４６を上方に開くと各硬貨収納部３０ａ〜３０ｆの硬貨収納領域３１にアクセスすることができるようになるということは、硬貨収納領域３１に収納されている硬貨にアクセスしてこの硬貨を取り出すことができるということを意味するとともに、各硬貨収納部３０ａ〜３０ｆに設けられている繰出部５０にもアクセスすることができるということを意味している。
【００４０】
また、本実施の形態の硬貨処理装置１０では、図１１に示すように、硬貨払出部３６の上方に上蓋３７が設置されるようになっていてもよい。このような態様では、硬貨払出部３６が上蓋３７に覆われているときにはこの硬貨払出部３６に集積されている硬貨を操作者は当該硬貨払出部３６から取り出すことができないようになる。一方、このような態様では、硬貨払出部３６は移動可能な支持部３８に設置されるようになっており、この支持部３８はリニアアクチュエータ等の駆動部３９（図１３参照）によって図１１に示す状態から手前側（すなわち、図１１における下方向）に向かって往復移動を行うことができるようになっている。支持部３８が駆動部３９によって上蓋３７から手前側に引き出されて図１２に示すような状態になると、操作者は硬貨払出部３６に集積されている硬貨を当該硬貨払出部３６から取り出すことができるようになる。
【００４１】
また、図１３に示すように、本実施の形態の硬貨処理装置１０には、当該硬貨処理装置１０の各構成部材の制御を行う制御部８０が設けられている。より詳細には、図１３に示すように、制御部８０には、残留検知センサ１３、繰出部１４、入金搬送部１６、識別部１８、各金種別分岐部２２、各通過検知センサ２３、リジェクト部２４、各エラー検知部３２、各繰出部５０、各第１施錠部４８および駆動部３９がそれぞれ接続されている。そして、識別部１８による硬貨の識別結果に係る信号や各エラー検知部３２によるエラーの検知結果に係る信号等が制御部８０に送られるとともに、制御部８０は硬貨処理装置１０の各構成部材に指令信号を送ることによりこれらの構成部材の動作を制御するようになっている。
【００４２】
また、図１３に示すように、制御部８０には操作表示部８２、記憶部８４および通信インターフェース部８６がそれぞれ接続されている。操作表示部８２は例えばタッチパネル等からなり、硬貨処理装置１０における硬貨の入金処理や出金処理等の処理状況や、各硬貨収納部３０ａ〜３０ｆに収納されている硬貨の在高等に関する情報が操作表示部８２に表示されるようになっている。また、操作者は操作表示部８２を操作することにより制御部８０に対して様々な指令を与えることができるようになっている。記憶部８４には、硬貨処理装置１０における硬貨の入金処理や出金処理等の処理履歴や、各硬貨収納部３０ａ〜３０ｆに収納されている硬貨の在高等に関する情報が記憶されるようになっている。また、制御部８０は通信インターフェース部８６を介して本実施の形態による硬貨処理装置１０とは別に設けられた外部装置（具体的には、例えばＰＯＳレジスタや紙幣処理装置１１０）に対して信号の送受信を行うことができるようになっている。
【００４３】
また、図１３に示すように、制御部８０には、操作表示部８２を操作する操作者の権限の認証を行う認証手段８８が接続されている。認証手段８８は、操作表示部８２により入力された操作者の識別情報（例えば、操作者の氏名や識別番号）およびパスワードに基づいて、当該操作者の権限の認証を行うようになっている。他の例として、硬貨処理装置１０にカードリーダが設けられており、操作者が所持するＩＤカードがカードリーダによって読み取られたときにこの読み取られたＩＤカードの情報に基づいて認証手段８８が操作者の権限の認証を行うようになっていてもよい。
【００４４】
また、本実施の形態の硬貨処理装置１０においては、上述した収納扉４０、各金種別扉４６、各第１施錠部４８、第２施錠部４２および制御部８０等により、アクセス制限手段９０が構成されている。ここで、アクセス制限手段９０は、各硬貨収納部３０ａ〜３０ｆに収納されている硬貨へのアクセスを制限するためのものである。より詳細には、アクセス制限手段９０は、複数の硬貨収納部３０ａ〜３０ｆのうち所定の条件を満たす硬貨収納部３０ａ〜３０ｆに収納されている硬貨のみへのアクセスを許容する第１アクセス許容状態、および全ての硬貨収納部３０ａ〜３０ｆに収納されている硬貨へのアクセスを許容する第２アクセス許容状態のうちいずれかの許容状態で各硬貨収納部３０ａ〜３０ｆに収納されている硬貨へのアクセスを許容するようになっている。具体的には、アクセス制限手段９０は、各硬貨収納部３０ａ〜３０ｆに対応して設けられる複数の金種別扉４６（第１扉部）と、各金種別扉４６に対応して設けられ、各硬貨収納部３０ａ〜３０ｆに収納されている硬貨へのアクセスを制限するよう各金種別扉４６を施錠する複数の第１施錠部４８とを有している。そして、アクセス制限手段９０は、所定の条件を満たす硬貨収納部３０ａ〜３０ｆに対応する第１施錠部４８による金種別扉４６の施錠を解除することにより、第１アクセス許容状態において金種別扉４６の施錠が解除された硬貨収納部３０ａ〜３０ｆに収納されている硬貨へのアクセスを許容する。また、アクセス制限手段９０は、全ての硬貨収納部３０ａ〜３０ｆにまたがって設けられる収納扉４０（第２扉部）と、全ての硬貨収納部３０ａ〜３０ｆに収納されている硬貨へのアクセスを制限するよう収納扉４０を施錠する第２施錠部４２とを有している。そして、アクセス制限手段９０は、第２施錠部４２による収納扉４０の施錠を解除することにより、第２アクセス許容状態において全ての硬貨収納部３０ａ〜３０ｆに収納されている硬貨へのアクセスを許容する。このようなアクセス制限手段９０の機能の詳細については後述する。
【００４５】
次に、このような構成からなる硬貨処理装置１０の動作について説明する。なお、以下に示すような硬貨処理装置１０の動作は、制御部８０が硬貨処理装置１０の各構成部材を制御することにより行われるようになっている。
【００４６】
まず、硬貨処理装置１０において硬貨の入金処理が行われる際の動作について説明する。硬貨処理装置１０において硬貨の入金処理が行われる際に、操作者は最初に内側筐体１１の上面手前側に設けられた硬貨投入口に硬貨を投入する。硬貨投入口に投入された硬貨は硬貨受入部１２に受け入れられるようになる。そして、硬貨受入部１２に受け入れられた硬貨が残留検知センサ１３により検知されると、繰出部１４が駆動されることにより当該繰出部１４によって硬貨が内側筐体１１の内部に１枚ずつ繰り出される。そして、繰出部１４によって内側筐体１１の内部に繰り出された硬貨は入金搬送部１６により１枚ずつ搬送され、識別部１８によりその金種、真偽、正損、表裏、新旧、搬送状態等の識別が行われる。ここで、識別部１８により正常であると識別された硬貨はリジェクト部２４のゲート部材２５により入金搬送部１６から分岐させられることなく当該入金搬送部１６により内側筐体１１の奥側の領域に送られ、各金種別分岐部２２により金種毎に入金搬送部１６から分岐させられることにより各硬貨収納部３０ａ〜３０ｆに収納されるようになる。一方、識別部１８により正常な硬貨ではないと識別された硬貨や識別部１８により識別することができなかった硬貨はリジェクト硬貨としてリジェクト部２４のゲート部材２５により入金搬送部１６から分岐させられ、この分岐させられたリジェクト硬貨はリジェクトシュート２４ａによりリジェクト口２６に送られる。また、上述したように、リジェクト口２６は内側筐体１１の前面側からアクセス可能となっているため、リジェクトシュート２４ａからリジェクト口２６に送られたリジェクト硬貨を操作者は内側筐体１１の前面側から当該内側筐体１１の外部に取り出して硬貨受入部１２に再投入等することができるようになる。
【００４７】
次に、硬貨処理装置１０において硬貨の出金処理が行われる際の動作について説明する。硬貨処理装置１０において硬貨の出金処理が行われる際に、操作者が操作表示部８２によって出金されるべき硬貨の金種毎の枚数や合計金額等の出金処理に係る情報を入力したり、外部装置から通信インターフェース部８６を介して制御部８０に出金されるべき硬貨の金種毎の枚数や合計金額等の出金処理に係る情報が送られたりすると、出金されるべき硬貨の金種に対応する硬貨収納部３０ａ〜３０ｆにおいて繰出部５０の繰出ベルト５２が硬貨の繰出方向に循環移動させられる。このことにより、硬貨収納領域３１に収納されている硬貨が繰出部５０により硬貨案内溝３４または硬貨払出部３６に繰り出されるようになる。また、硬貨案内溝３４に送られた硬貨は、当該硬貨案内溝３４において図２における左方向に立位状態で転がりながら移動することにより硬貨払出部３６に送られるようになる。このようにして、出金されるべき硬貨が硬貨払出部３６に集積されるようになる。また、図１１および図１２に示すように硬貨払出部３６の上方に上蓋３７が設けられている場合には、出金されるべき硬貨が全て硬貨払出部３６に集積されると、駆動部３９が支持部３８を手前側に移動させてこの支持部３８により支持されている硬貨払出部３６を上蓋３７から露出させるようにする。このことにより、硬貨払出部３６は内側筐体１１の前面側からアクセス可能となるため、操作者は硬貨払出部３６に手を入れることにより出金硬貨を内側筐体１１の前面側から当該内側筐体１１の外部に取り出すことができるようになる。
【００４８】
また、このような硬貨処理装置１０では、一日の取引が終了した後、所定の権限を有する操作者（例えば、管理者）は各硬貨収納部３０ａ〜３０ｆに収納されている硬貨を取り出して計数等を行いたい場合がある。この場合には、所定の権限を有する操作者は、硬貨処理装置１０の内側筐体１１を外側筐体１ａから手前側に引き出した後、収納扉４０の第２施錠部４２に形成されているカギ穴に特定の鍵４４を差し込んで回転させる。このことにより、第２施錠部４２による収納扉４０の施錠が解除され、この収納扉４０を上方に開くことができるようになる。なお、第２施錠部４２に形成されているカギ穴に適合する鍵４４は、所定の権限を有する操作者のみが所有するようになっており、店舗の一般の店員等の、所定の権限を有さない操作者は第２施錠部４２による収納扉４０の施錠を解除することができないようになっている。そして、第２施錠部４２による収納扉４０の施錠が解除され、この収納扉４０が上方に開かれると、操作者は全ての硬貨収納部３０ａ〜３０ｆの硬貨収納領域３１にアクセスすることができるようになる（第２アクセス許容状態）。このようにして、操作者は各硬貨収納部３０ａ〜３０ｆの硬貨収納領域３１から硬貨を取り出して計数等を行うことができるようになる。
【００４９】
また、硬貨の出金処理が行われる際に、繰出部５０により各硬貨収納部３０ａ〜３０ｆの硬貨収納領域３１から硬貨が繰り出されるときに硬貨の詰まり等のトラブルが発生すると、硬貨処理装置１０を操作していた操作者（例えば、店舗の店員）は各硬貨収納部３０ａ〜３０ｆの硬貨収納領域３１から詰まりの原因となる硬貨を取り除く必要がある。ここで、本実施の形態では、このように各硬貨収納部３０ａ〜３０ｆの硬貨収納領域３１から詰まりの原因となる硬貨を取り除く場合に、トラブルの原因となる硬貨が収納されている硬貨収納部３０ａ〜３０ｆを覆う金種別扉４６のみが開かれ、その以外の金種別扉４６は開かれない。具体的には、硬貨の出金処理が行われる際に、繰出部５０により各硬貨収納部３０ａ〜３０ｆの硬貨収納領域３１から硬貨が繰り出されるときに硬貨の詰まり等のトラブルが発生すると、硬貨収納部３０ａ〜３０ｆに収納されている硬貨に関するエラーが発生したことがエラー検知部３２によって硬貨収納部３０ａ〜３０ｆ毎に検知される。この場合は、制御部８０は、エラー検知部３２によってエラーが検知された硬貨収納部３０ａ〜３０ｆの硬貨収納領域３１のみが外部からアクセス可能となるよう、この硬貨収納部３０ａ〜３０ｆに対応する金種別扉４６の施錠を解除するよう第１施錠部４８を制御する。すなわち、制御部８０は、６つの第１施錠部４８のうちエラー検知部３２によってエラーが検知された硬貨収納部３０ａ〜３０ｆに対応する第１施錠部４８のみに指令信号を送ることにより、この第１施錠部４８による金種別扉４６の施錠を解除させる。このことにより、硬貨処理装置１０の内側筐体１１が外側筐体１ａから手前側に引き出されると、第１施錠部４８により施錠が解除された金種別扉４６は収納扉４０から（すなわち、図９において点線で示す位置）から自動的に上方に少しだけ浮き上がる。この場合には、複数の金種別扉４６のうち、第１施錠部４８による施錠が解除された金種別扉４６が一目で分かるようになる。そして、第１施錠部４８による金種別扉４６の施錠が解除され、この金種別扉４６が上方に開かれると、操作者は金種別扉４６が上方に開かれた硬貨収納部３０ａ〜３０ｆの硬貨収納領域３１にアクセスすることができるようになる（第１アクセス許容状態）。このようにして、操作者は硬貨収納部３０ａ〜３０ｆの硬貨収納領域３１から詰まりの原因となる硬貨を繰出部５０から取り出してエラーを解消することができるようになる。
【００５０】
また、６つの硬貨収納部３０ａ〜３０ｆのうちエラー検知部３２によってエラーが検知された硬貨収納部３０ａ〜３０ｆに対応する金種別扉４６の施錠が解除されると、金種別扉４６の施錠が解除されて硬貨収納領域３１にアクセス可能となった硬貨収納部３０ａ〜３０ｆの位置を示すガイダンス画面が操作表示部８２に表示されるようになっていてもよい。
【００５１】
なお、本実施の形態では、第１施錠部４８による金種別扉４６の施錠が解除されるのは、硬貨収納部３０ａ〜３０ｆに収納されている硬貨に関するエラーが発生したことがエラー検知部３２によって検知された場合に行われるような態様に限定されることはない。他の例として、操作者が操作表示部８２によって特定の金種別扉４６の施錠を解除するような指令を入力することができるようになっていてもよい。より詳細には、複数の硬貨収納部３０ａ〜３０ｆのうちある硬貨収納部３０ａ〜３０ｆに収納されている硬貨にアクセスしたいという指示が操作者によって操作表示部８２により入力されると、制御部８０は、操作表示部８２により入力された情報に基づいて、特定の金種別扉４６の施錠が解除されるようこの金種別扉４６に対応する第１施錠部４８を制御する。このことにより、操作者はこの金種別扉４６を上方に開いて当該金種別扉４６に対応する硬貨収納部３０ａ〜３０ｆから硬貨を取り出すことができるようになる。
【００５２】
また、操作者が操作表示部８２によって特定の金種別扉４６の施錠を解除するような指令を入力することによりこの金種別扉４６の施錠が解除される場合において、所定の権限を有する操作者でないと金種別扉４６の施錠を解除するような指令を操作表示部８２により入力することができないようになっていてもよい。具体的には、操作表示部８２を操作する操作者の権限の認証が認証手段８８により行われるが、認証手段８８により操作者の権限が所定の権限であると認証された場合においてのみ、制御部８０は操作表示部８２により入力された情報に基づいて特定の金種別扉４６の施錠が解除されるようこの金種別扉４６に対応する第１施錠部４８を制御する。この場合には、所定の権限を有する管理者は任意の硬貨収納部３０ａ〜３０ｆの硬貨収納領域３１にアクセスすることができるが、店舗の店員等、所定の権限を有しない操作者は、操作表示部８２によってエラーが発生した硬貨収納部３０ａ〜３０ｆ以外の硬貨収納部３０ａ〜３０ｆから硬貨を取り出すことができなくなるため、防盗性を高めることができるようになる。
【００５３】
また、更に別の例では、制御部８０は、通信インターフェース部８６を介して外部装置（例えば、ＰＯＳレジスタ）から受信した情報に基づいて、特定の金種別扉４６の施錠が解除されるようこの金種別扉４６に対応する第１施錠部４８を制御するようになっていてもよい。このことにより、例えば操作者がＰＯＳレジスタ等の外部装置を用いて特定の硬貨収納部３０ａ〜３０ｆから硬貨を取り出す旨の指示を硬貨処理装置１０の制御部８０に送信した場合でも、外部装置からの指示に基づいて金種別扉４６の施錠を解除することにより、操作者はこの金種別扉４６を上方に開いてこの金種別扉４６に対応する硬貨収納部３０ａ〜３０ｆから硬貨を取り出すことができるようになる。
【００５４】
以上のような構成からなる本実施の形態の硬貨処理装置１０によれば、各硬貨収納部３０ａ〜３０ｆに収納されている硬貨へのアクセスを制限するためのアクセス制限手段９０が設けられており、このアクセス制限手段９０は、複数の硬貨収納部３０ａ〜３０ｆのうち所定の条件を満たす硬貨収納部３０ａ〜３０ｆに収納されている硬貨のみへのアクセスを許容する第１アクセス許容状態および全ての硬貨収納部３０ａ〜３０ｆに収納されている硬貨へのアクセスを許容する第２アクセス許容状態のうちいずれかの許容状態で各硬貨収納部３０ａ〜３０ｆに収納されている硬貨へのアクセスを許容するようになっている。このことにより、硬貨収納部３０ａ〜３０ｆから硬貨を取り出す際の用途に応じてアクセス許容状態を選択することができる。しかも、第１アクセス許容状態では所定の条件を満たさない硬貨収納部３０ａ〜３０ｆに収納されている硬貨へのアクセスが制限されるため、所定の条件を満たさない硬貨収納部３０ａ〜３０ｆから硬貨が取り出されて持ち去られてしまうことを防止することができる。
【００５５】
具体的には、各硬貨収納部３０ａ〜３０ｆには、硬貨収納部３０ａ〜３０ｆに収納されている硬貨に関するエラーが発生したときにエラーが発生したことを検知するエラー検知部３２がそれぞれ設けられている。そして、アクセス制限手段９０は、エラー検知部３２によりエラーが発生したことが検知されたときに、当該エラー検知部３２が設けられている硬貨収納部３０ａ〜３０ｆが所定の条件を満たしたと判断し、第１アクセス許容状態において所定の条件を満たす硬貨収納部３０ａ〜３０ｆに収納されている硬貨へのアクセスを許容する。ここで、硬貨収納部３０ａ〜３０ｆに収納されている硬貨に関するエラーとは、例えば硬貨収納部３０ａ〜３０ｆに収納されている硬貨が繰出部５０により繰り出される際に詰まり等が発生することにより硬貨の繰出不良が生じることをいう。しかしながら、硬貨収納部３０ａ〜３０ｆに収納されている硬貨に関するエラーは、このような硬貨の繰出不良に限定されることはなく、それ以外のトラブルがエラーとしてエラー検知部３２により検知されるようになっていてもよい。また、変形例に係る硬貨処理装置では、エラー検知部３２が設けられていなくてもよい。この場合には、第１アクセス許容状態において収納されている硬貨へのアクセスが許容される「所定の条件」の硬貨収納部３０ａ〜３０ｆは、硬貨の繰出不良が生じたものではなく、他の条件を満たす（例えば、収納されている硬貨へのアクセスを許容する旨の指示が操作表示部８２により入力されたり、収納されている硬貨へのアクセスを許容する旨の指示が通信インターフェース部８６により受け付けられたりした）硬貨収納部３０ａ〜３０ｆとなる。
【００５６】
また、本実施の形態の硬貨処理装置１０においては、各硬貨収納部３０ａ〜３０ｆには、当該硬貨収納部３０ａ〜３０ｆに収納されている硬貨を硬貨収納部３０ａ〜３０ｆから繰り出す繰出部５０がそれぞれ設けられており、アクセス制限手段９０は、第１アクセス許容状態において所定の条件を満たす硬貨収納部３０ａ〜３０ｆに設けられた繰出部５０へのアクセスを許容するようになっている。この場合には、繰出部５０による硬貨の繰出不良が生じた場合にこの繰出不良の原因となる硬貨を操作者は確実に繰出部５０から取り除くことができるようになる。
【００５７】
また、本実施の形態の硬貨処理装置１０においては、アクセス制限手段９０は、各硬貨収納部３０ａ〜３０ｆに対応して設けられる複数の金種別扉４６（第１扉部）と、各金種別扉４６に対応して設けられ、各硬貨収納部３０ａ〜３０ｆに収納されている硬貨へのアクセスを制限するよう金種別扉４６を施錠する複数の第１施錠部４８とを有している。そして、アクセス制限手段９０は、所定の条件を満たす硬貨収納部３０ａ〜３０ｆに対応する第１施錠部４８による金種別扉４６の施錠を解除することにより、第１アクセス許容状態において金種別扉４６の施錠が解除された硬貨収納部３０ａ〜３０ｆに収納されている硬貨へのアクセスを許容する。また、アクセス制限手段９０は、全ての硬貨収納部３０ａ〜３０ｆにまたがって設けられる収納扉４０（第２扉部）と、全ての硬貨収納部３０ａ〜３０ｆに収納されている硬貨へのアクセスを制限するよう収納扉４０を施錠する第２施錠部４２とを有しており、各金種別扉４６は収納扉４０に設けられている。そして、アクセス制限手段９０は、第１施錠部４８による収納扉４０の施錠を解除することにより、第２アクセス許容状態において全ての硬貨収納部３０ａ〜３０ｆに収納されている硬貨へのアクセスを許容する。また、各第１施錠部４８は、通電すると対応する金種別扉４６の施錠を解除するようになっており、第２施錠部４２は、物理的な力が与えられると（具体的には、カギ穴に特定の鍵４４を差し込んで回転させると）収納扉４０の施錠を解除するようになっている。
【００５８】
なお、第１施錠部４８は、通電すると対応する金種別扉４６の施錠を解除するようなものに限定されることはない。第１施錠部４８として、他の態様により対応する金種別扉４６の施錠を解除するようなものが用いられてもよい。また、第２施錠部４２は、物理的な力が与えられると収納扉４０の施錠を解除するようなものに限定されることはない。第２施錠部４２として、他の態様により収納扉４０の施錠を解除するようなものが用いられてもよい。
【００５９】
また、本実施の形態の硬貨処理装置１０においては、アクセス制限手段９０は、所定の条件を満たす硬貨収納部３０ａ〜３０ｆに対応する第１施錠部４８による金種別扉４６の施錠を解除した後、当該金種別扉４６が硬貨収納部３０ａ〜３０ｆを完全に塞ぐ位置から浮き上がるようにする。このことにより、複数の金種別扉４６のうち、第１施錠部４８による施錠が解除された金種別扉４６が一目で分かるようになる。
【００６０】
また、本実施の形態の硬貨処理装置１０においては、操作者が指示（内部指示）を入力するための操作部として操作表示部８２が設けられており、複数の硬貨収納部３０ａ〜３０ｆのうちある硬貨収納部３０ａ〜３０ｆに収納されている硬貨へのアクセスを許容する旨の指示が操作表示部８２により入力されると、アクセス制限手段９０は、操作表示部８２により入力された指示に係る硬貨収納部３０ａ〜３０ｆが所定の条件を満たしたと判断し、第１アクセス許容状態において所定の条件を満たす硬貨収納部３０ａ〜３０ｆに収納されている硬貨へのアクセスを許容する。また、この場合、操作表示部８２を操作する操作者の権限の認証を行う認証手段８８が設けられているときには、アクセス制限手段９０は、認証手段８８により操作者の権限が所定の権限であると認証された場合においてのみ、複数の硬貨収納部３０ａ〜３０ｆのうちある硬貨収納部３０ａ〜３０ｆに収納されている硬貨へのアクセスを許容する旨の指示が操作表示部８２により入力されると、操作表示部８２により入力された指示に係る硬貨収納部３０ａ〜３０ｆが所定の条件を満たしたと判断するようになっていてもよい。
【００６１】
なお、本実施の形態では、認証手段８８が設けられていなくてもよい。この場合には、操作者の権限に関係なく、複数の硬貨収納部３０ａ〜３０ｆのうちある硬貨収納部３０ａ〜３０ｆに収納されている硬貨へのアクセスを許容する旨の指示が操作表示部８２により入力されると、アクセス制限手段９０は、操作表示部８２により入力された指示に係る硬貨収納部３０ａ〜３０ｆが所定の条件を満たしたと判断し、第１アクセス許容状態において所定の条件を満たす硬貨収納部３０ａ〜３０ｆに収納されている硬貨へのアクセスを許容する。
【００６２】
また、本実施の形態の硬貨処理装置１０においては、別の装置から通信により指示（外部指示）を受け付けるための指示受付部として通信インターフェース部８６が設けられており、複数の硬貨収納部３０ａ〜３０ｆのうちある硬貨収納部３０ａ〜３０ｆに収納されている硬貨へのアクセスを許容する旨の指示が通信インターフェース部８６により受け付けられると、アクセス制限手段９０は、通信インターフェース部８６により受け付けられた指示に係る硬貨収納部３０ａ〜３０ｆが所定の条件を満たしたと判断し、第１アクセス許容状態において所定の条件を満たす硬貨収納部３０ａ〜３０ｆに収納されている硬貨へのアクセスを許容する。
【００６３】
次に、紙幣処理装置１１０の構成の詳細について図１４乃至図２３を用いて説明する。図１４は、紙幣処理装置１１０の内部を上方から鉛直方向下方に向かって見たときの構成を示す構成図である。図１および図１４に示すように、紙幣処理装置１１０は、略直方体形状の内側筐体１１１と、紙幣を外部から受け入れる紙幣受入部１２２と、筐体の内部で紙幣を搬送する搬送部１３０と、搬送部１３０に設けられ、当該搬送部により搬送される紙幣の金種、真偽、正損、搬送状態等の識別を行う識別部１３２と、搬送部１３０に接続され、当該搬送部１３０から送られた紙幣を金種毎に収納するとともに収納されている紙幣を搬送部１３０に繰り出し可能な複数（図１４に示す例では３つ）の紙幣収納部１４０、１４２、１４４と、搬送部１３０に接続され、当該搬送部１３０により搬送される紙幣を筐体の外部に出す紙幣出口部１２４とを有している。ここで、紙幣処理装置１１０の内側筐体１１１は外側筐体１ａから手前側に引き出し可能となっている。また、紙幣処理装置１１０には、紙幣の出金処理が行われる際に正常な紙幣ではないと識別部１３２により識別された紙幣が搬送部１３０から送られる出金リジェクト部１２６が設けられている。また、紙幣処理装置１１０には紙幣収納カセット１２８が着脱自在に装着されるようになっており、紙幣処理装置１１０に紙幣収納カセット１２８が装着されると、当該紙幣収納カセット１２８に収納されている紙幣を搬送部１３０に繰り出すとともに搬送部１３０から紙幣収納カセット１２８に紙幣を送って当該紙幣収納カセット１２８に収納させることができるようになっている。以下、このような紙幣処理装置１１０の各構成要素の詳細について説明する。
【００６４】
紙幣受入部１２２には紙幣受入口１２２ａが設けられており、この紙幣受入口１２２ａは紙幣処理装置１１０の筐体の前面に配置されている。操作者はこの紙幣受入口１２２ａを介して１または複数の紙幣を重ねた状態で筐体の外部から紙幣受入部１２２に投入することができるようになっている。この際に、操作者は筐体の外部から１または複数の紙幣をその長手方向に沿った方向で紙幣受入口１２２ａに投入する。また、紙幣受入部１２２には、当該紙幣受入部１２２に重なった状態で受け入れられた紙幣を１枚ずつ搬送部１３０に繰り出す紙幣繰出機構（図示せず）が設けられている。
【００６５】
図１４に示すように、搬送部１３０は、周回搬送部分１３０ａと、周回搬送部分１３０ａから放射状に延びる複数の接続搬送部分１３０ｂとを有している。また、周回搬送部分１３０ａには識別部１３２が設けられており、当該周回搬送部分１３０ａにおいて周回移動している紙幣の金種、真偽、正損、搬送状態等が識別部１３２により識別されるようになっている。また、複数の接続搬送部分１３０ｂは、周回搬送部分１３０ａと、紙幣受入部１２２、紙幣出口部１２４、出金リジェクト部１２６、紙幣収納カセット１２８、各紙幣収納部１４０、１４２、１４４の各々とをそれぞれ接続するようになっている。
【００６６】
各紙幣収納部１４０、１４２、１４４には、搬送部１３０から送られた紙幣が金種毎に収納されるようになっている。具体的には、紙幣収納部１４０には千円札が収納され、紙幣収納部１４２には五千円札および二千円札が混合状態で収納され、紙幣収納部１４４には一万円札が収納されるようになっている。また、各紙幣収納部１４０、１４２、１４４には、それぞれ、収納されている紙幣を１枚ずつ搬送部１３０に繰り出す繰出部１４１、１４３、１４５が設けられている。
【００６７】
紙幣出口部１２４は搬送部１３０から送られた紙幣を一時的に保留するようになっている。また、紙幣処理装置１１０の筐体の前面には紙幣放出口１２４ａが設けられており、紙幣の出金処理において出金されるべき枚数の紙幣が搬送部１３０から紙幣出口部１２４に送られて当該紙幣出口部１２４に保留されると、この紙幣出口部１２４に保留されている紙幣が紙幣放出機構（図示せず）により紙幣放出口１２４ａから筐体の外部に放出されるようになっている。このとき、出金されるべき枚数の紙幣が複数であった場合には、それらの紙幣は紙幣出口部１２４に重なった状態で保留され、紙幣放出機構（図示せず）により紙幣放出口１２４ａから筐体の外部にまとめて放出される。このことにより、操作者は筐体の外部へ出金紙幣を取り出すことができるようになる。
【００６８】
また、図１４に示すように、搬送部１３０の周回搬送部分１３０ａや接続搬送部分１３０ｂに、複数の搬送検知センサ１３０ｃや識別部１３２が設けられている。これらの搬送検知センサ１３０ｃや識別部１３２は、それぞれ、発光素子および受光素子を有するフォトセンサ等から構成されている。これらの複数の発光素子と受光素子との間の光路が紙幣により遮られると当該紙幣が各搬送検知センサ１３０ｃにより検知されるようになっている。搬送部１３０による紙幣の搬送状態については、複数の搬送検知センサ１３０ｃや識別部１３２に基づいて、紙幣の搬送状態（具体的には、搬送部１３０により搬送される紙幣が斜行しているか否かや、搬送部１３０により搬送される紙幣間の間隔の大きさ等）が検知されるようになる。
【００６９】
また、本実施の形態の紙幣処理装置１１０では、図１５に示すように、各紙幣収納部１４０、１４２、１４４を覆う収納扉１５０が設けられており、紙幣処理装置１１０の内側筐体１１１を外側筐体１ａから引き出した後、この収納扉１５０を上方に開くと各紙幣収納部１４０、１４２、１４４の紙幣収納領域にアクセスすることができるようになっている。より詳細には、硬貨処理装置１０の収納扉４０と同様に、収納扉１５０は水平方向に延びる軸を中心として回転自在となっており、各紙幣収納部１４０、１４２、１４４を覆う状態から収納扉１５０を上方に開いて図１５に示す状態にすることができるようになっている。また、図１５に示すように、収納扉１５０は全ての紙幣収納部１４０、１４２、１４４をまたがるよう設けられている。このことにより、収納扉１５０により各紙幣収納部１４０、１４２、１４４が閉じられているときには、どの紙幣収納部１４０、１４２、１４４の紙幣収納領域にもアクセスすることができない。一方、収納扉１５０が上方に開かれると、全ての紙幣収納部１４０、１４２、１４４の紙幣収納領域にアクセスすることができるようになる。また、収納扉１５０には、各紙幣収納部１４０、１４２、１４４を閉じた状態で収納扉１５０を施錠する第２施錠部１５１が設けられている。このような第２施錠部１５１は、硬貨処理装置１０の第２施錠部４２と略同一の構成となっている。具体的には、第２施錠部１５１にはカギ穴が形成されており、このカギ穴に特定の鍵を差し込んで回転させると第２施錠部１５１による収納扉１５０の施錠が解除されるようになっている。すなわち、通常時は、収納扉１５０は各紙幣収納部１４０、１４２、１４４を閉じた状態となっており、このような状態で収納扉１５０は第２施錠部１５１によって施錠されることにより上方に開くことができないようになっている。一方、第２施錠部１５１に形成されたカギ穴に特定の鍵を差し込んで回転させることによって第２施錠部１５１による収納扉１５０の施錠が解除されると、収納扉１５０を上方に開くことができるようになる。
【００７０】
また、図６に示すように、各紙幣収納部１４０、１４２、１４４に対応するよう収納扉１５０には複数（具体的には、３つ）の金種別扉１５２が設けられている。ここで、硬貨処理装置１０の各金種別扉４６と同様に、各金種別扉１５２は、それぞれ水平方向に延びる軸を中心として収納扉１５０に対して回転自在となっており、このことにより収納扉１５０から各金種別扉１５２を上方に開くことができるようになっている。ここで、収納扉１５０が各紙幣収納部１４０、１４２、１４４を閉じた状態となっていても、各金種別扉１５２を上方に開くと、この金種別扉１５２に対応する紙幣収納部１４０、１４２、１４４の紙幣収納領域にアクセスすることができるようになっている。また、図１５に示すように、収納扉１５０には、各金種別扉１５２に対応するよう複数（具体的には、３つ）の第１施錠部１５３が設けられている。各第１施錠部１５３は、対応する金種別扉１５２を施錠するようになっている。ここで、通常時は、各金種別扉１５２は第１施錠部１５３により施錠されることによって収納扉１５０に固定されるようになっており、各金種別扉１５２を収納扉１５０から上方に開くことができないようになっている。一方、第１施錠部１５３による金種別扉１５２の施錠が解除されると、金種別扉１５２を収納扉１５０から上方に開くことができるようになる。このような各第１施錠部１５３の構成は、硬貨処理装置１０の第１施錠部４８の構成と略同一となっている。
【００７１】
なお、本実施の形態の紙幣処理装置１１０では、収納扉１５０や各金種別扉１５２を上方に開くと各紙幣収納部１４０、１４２、１４４の紙幣収納領域にアクセスすることができるようになるということは、紙幣収納領域に収納されている紙幣にアクセスしてこの紙幣を取り出すことができるということを意味するとともに、各紙幣収納部１４０、１４２、１４４に設けられた繰出部１４１、１４３、１４５にもアクセスすることができるということを意味している。
【００７２】
また、図１４に示すように、紙幣処理装置１１０には制御部１８０が設けられており、紙幣処理装置１１０の各構成部材がそれぞれ当該制御部１８０に接続されている。そして、識別部１３２による紙幣の識別結果や、各搬送検知センサ１３０ｃによる紙幣の検知結果が制御部１８０に送られるようになっている。また、制御部１８０は、紙幣受入部１２２に設けられている紙幣繰出機構（図示せず）、紙幣出口部１２４、搬送部１３０、繰出部１４１、１４３、１４５、各第１施錠部１５３の各構成部材に指令を送ることによりこれらの構成部材の制御を行うことができるようになっている。
【００７３】
また、本実施の形態の紙幣処理装置１１０においては、上述した収納扉１５０、各金種別扉１５２、各第１施錠部１５３、第２施錠部１５１および制御部１８０等により、アクセス制限手段１９０が構成されている。ここで、アクセス制限手段１９０は、各紙幣収納部１４０、１４２、１４４に収納されている紙幣へのアクセスを制限するためのものである。より詳細には、アクセス制限手段１９０は、複数の紙幣収納部１４０、１４２、１４４のうち所定の条件を満たす紙幣収納部１４０、１４２、１４４に収納されている紙幣のみへのアクセスを許容する第１アクセス許容状態、および全ての紙幣収納部１４０、１４２、１４４に収納されている紙幣へのアクセスを許容する第２アクセス許容状態のうちいずれかの許容状態で各紙幣収納部１４０、１４２、１４４に収納されている紙幣へのアクセスを許容するようになっている。具体的には、アクセス制限手段１９０は、各紙幣収納部１４０、１４２、１４４に対応して設けられる複数の金種別扉１５２（第１扉部）と、各金種別扉１５２に対応して設けられ、各紙幣収納部１４０、１４２、１４４に収納されている紙幣へのアクセスを制限するよう各金種別扉１５２を施錠する複数の第１施錠部１５３とを有している。そして、アクセス制限手段１９０は、所定の条件を満たす紙幣収納部１４０、１４２、１４４に対応する第１施錠部１５３による金種別扉１５２の施錠を解除することにより、第１アクセス許容状態において金種別扉１５２の施錠が解除された紙幣収納部１４０、１４２、１４４に収納されている紙幣へのアクセスを許容する。また、アクセス制限手段１９０は、全ての紙幣収納部１４０、１４２、１４４にまたがって設けられる収納扉１５０（第２扉部）と、全ての紙幣収納部１４０、１４２、１４４に収納されている紙幣へのアクセスを制限するよう収納扉１５０を施錠する第２施錠部１５１とを有している。そして、アクセス制限手段１９０は、第２施錠部１５１による収納扉１５０の施錠を解除することにより、第２アクセス許容状態において全ての紙幣収納部１４０、１４２、１４４に収納されている紙幣へのアクセスを許容する。
【００７４】
このようなアクセス制限手段１９０が設けられている紙幣処理装置１１０によれば、アクセス制限手段９０が設けられている硬貨処理装置１０と同様に、紙幣収納部１４０、１４２、１４４から紙幣を取り出す際の用途に応じてアクセス許容状態を選択することができる。しかも、第１アクセス許容状態では所定の条件を満たさない紙幣収納部１４０、１４２、１４４に収納されている紙幣へのアクセスが制限されるため、所定の条件を満たさない紙幣収納部１４０、１４２、１４４から紙幣が取り出されて持ち去られてしまうことを防止することができる。
【００７５】
次に、本実施の形態の紙幣処理装置１１０における紙幣受入部１２２の構成の詳細について図１６乃至図２３を用いて説明する。図１６および図１７に示すように、紙幣受入部１２２には紙幣受入口１２２ａが設けられており、この紙幣受入口１２２ａは紙幣処理装置１１０の筐体の前面に配置されている。操作者はこの紙幣受入口１２２ａを介して１または複数の紙幣を重ねた状態で筐体の外部から紙幣受入部１２２に投入することができるようになっている。この際に、操作者は筐体の外部から１または複数の紙幣をその長手方向に沿った方向で紙幣受入口１２２ａに投入する。しかしながら、紙幣受入口１２２ａに紙幣が真っ直ぐではなく上下方向において斜めに投入されると、この紙幣は斜行した状態で紙幣繰出機構に送られるが、この際に紙幣の隅部が折れてしまい、紙幣繰出機構により紙幣が繰り出される際に詰まり等のトラブルが発生するおそれがある。また、図１６および図１７に示すように、操作者が紙幣受入口１２２ａに紙幣を投入しやすくなるよう、紙幣受入口１２２ａの下部は間口が広くなっている。しかしながら、このような紙幣受入口１２２ａでは、図２２に示すように湾曲した状態で紙幣が紙幣受入口１２２ａに投入される場合があり、この場合には図２３に示すように紙幣の隅部が折れてしまう可能性が高くなる。なお、図２２および図２３において紙幣受入口１２２ａへの紙幣の投入方向を矢印で示している。
【００７６】
これに対し、本実施の形態の紙幣処理装置１１０ではこのようなトラブルが発生することを抑制するために様々な工夫を行っている。具体的には、本実施の形態の紙幣処理装置１１０の紙幣受入部１２２には第１ガイド部材１７０および第２ガイド部材１７２がそれぞれ着脱自在に装着されるようになっている。具体的には、第１ガイド部材１７０は紙幣受入口１２２ａの上半分を覆うよう装着され、第２ガイド部材１７２は紙幣受入口１２２ａの下半分を覆うよう装着されるようになっている。図１８、図１９および図２１は、紙幣受入部１２２に第１ガイド部材１７０および第２ガイド部材１７２がそれぞれ装着されたときの状態を示す図である。
【００７７】
一方、図２０は、第１ガイド部材１７０および第２ガイド部材１７２が紙幣受入部１２２に装着されていないときの状態を示す図である。本実施の形態の紙幣処理装置１１０では、図２０に示すように、１または複数の紙幣を外部から投入しやすくするために、紙幣受入口１２２ａの上部に、外側に向かって広がる傾斜部１２２ｂを設けることにより紙幣受入口１２２ａの間口を広くしていた。しかしながら、このような傾斜部１２２ｂが設けられていることにより、紙幣受入口１２２ａに紙幣が上下方向において斜めに投入されるおそれがあった。これに対し、図２１に示すように第１ガイド部材１７０の下端縁１７０ａは、当該第１ガイド部材１７０が紙幣受入部１２２に装着された場合に、紙幣受入口１２２ａが外側に向かって広がらないような構成となっている。このため、第１ガイド部材１７０を紙幣受入部１２２に装着することによって、紙幣受入口１２２ａに紙幣が上下方向において斜めに投入されることを防止することができ、よって紙幣受入口１２２ａに投入された紙幣の隅部が折れてしまい詰まり等のトラブルが発生することを抑制することができる。
【００７８】
また、図１８および図１９に示すように、第２ガイド部材１７２には紙幣受入口１２２ａの下部の幅よりも小さな幅のスリット１７２ａが形成されており、操作者は１または複数の紙幣をこのスリット１７２ａを介して紙幣受入口１２２ａに投入するようになっている。また、図１９に示すように、第２ガイド部材１７２は、紙幣受入口１２２ａから奥側（筐体の内部）に向かって延びる弾性体１７２ｂを有しており、スリット１７２ａを介して紙幣受入口１２２ａに投入された１または複数の紙幣は、弾性体１７２ｂにより紙幣受入部１２２の内部壁面に押されるようになっている。このような第２ガイド部材１７２が紙幣受入部１２２に装着された場合には、図２２に示すような湾曲した状態の紙幣を紙幣受入部１２２に投入する場合でも、幅が小さいスリット１７２ａを通ることおよびこのスリット１７２ａを通った後に弾性体１７２ｂにより紙幣受入部１２２の内部壁面に押されることによって、紙幣は湾曲した状態から真っ直ぐな状態に矯正され、この紙幣は矯正された状態で紙幣繰出機構により搬送部１３０に繰り出されるようになる。このように、第２ガイド部材１７２によって紙幣は湾曲した状態から真っ直ぐな状態に矯正されることにより、紙幣受入口１２２ａに投入された紙幣の隅部が折れてしまい詰まり等のトラブルが発生することを抑制することができる。
【００７９】
なお、上記の説明では第１ガイド部材１７０および第２ガイド部材１７２の両方が紙幣受入部１２２に装着されるような態様について述べたが、変形例に係る紙幣処理装置として、第１ガイド部材１７０および第２ガイド部材１７２のうち一方のガイド部材のみが紙幣受入部１２２に装着されるような構成のものが用いられてもよい。
【００８０】
また、本発明に係る有価媒体処理装置は、硬貨の処理を行う硬貨処理装置１０や紙幣の処理を行う紙幣処理装置１１０に限定されることはない。本発明に係る有価媒体処理装置として、硬貨や紙幣以外の有価媒体（例えば、カジノのチップ、商品券、小切手等）の処理を行うものが用いられてもよい。この場合には、硬貨や紙幣以外の有価媒体がそれぞれ収納される複数の収納部が設けられるとともに、各収納部に収納されている有価媒体へのアクセスを制限するためのアクセス制限手段が有価媒体処理装置に設けられるようになる。そして、有価媒体処理装置のアクセス制限手段は、硬貨処理装置１０のアクセス制限手段９０や紙幣処理装置１１０のアクセス制限手段１９０と同様の機能を果たすようになる。
【符号の説明】
【００８１】
１        貨幣処理機
１ａ      外側筐体
１０      硬貨処理装置
１１      内側筐体
１２      硬貨受入部
１３      残留検知センサ
１４      繰出部
１４ａ    繰出ベルト
１６      入金搬送部
１６ａ    循環ベルト
１６ｂ    プーリ
１６ｃ    搬送面
１８      識別部
２２      金種別分岐部
２３      通過検知センサ
２４      リジェクト部
２４ａ    リジェクトシュート
２５      ゲート部材
２５ａ    軸
２５ｂ    上面
２６      リジェクト口
３０ａ〜３０ｆ  硬貨収納部
３１      硬貨収納領域
３２      エラー検知部
３４      硬貨案内溝
３６      硬貨払出部
３７      上蓋
３８      支持部
３９      駆動部
４０      収納扉
４１      軸
４２      第２施錠部
４４      鍵
４６      金種別扉
４６ａ    ロックピン
４７      軸
４８      第１施錠部
４８ａ    ロック部材
４８ｂ    軸
４８ｃ    プランジャ
４８ｄ    コイルバネ
４８ｅ    ソレノイド
５０      繰出部
５２      繰出ベルト
５４      プーリ
５６      逆転ローラ
８０      制御部
８２      操作表示部
８４      記憶部
８６      通信インターフェース部
８８      認証手段
９０      アクセス制限手段
１１０    紙幣処理装置
１１１    内側筐体
１２２    紙幣受入部
１２２ａ  紙幣受入口
１２２ｂ  傾斜部
１２４    紙幣出口部
１２４ａ  紙幣放出口
１２６    出金リジェクト部
１２８    紙幣収納カセット
１３０    搬送部
１３０ａ  周回搬送部分
１３０ｂ  接続搬送部分
１３０ｃ  搬送検知センサ
１３２    識別部
１４０、１４２、１４４  紙幣収納部
１４１、１４３、１４５  繰出部
１５０    収納扉
１５１    第２施錠部
１５２    金種別扉
１５３    第１施錠部
１７０    第１ガイド部材
１７０ａ  下端縁
１７２    第２ガイド部材
１７２ａ  スリット
１７２ｂ  弾性体
１８０    制御部
１９０    アクセス制限手段
【図１】
2020154960.tif 000003
【図２】
2020154960.tif 000004
【図３】
2020154960.tif 000005
【図４】
2020154960.tif 000006
【図５】
2020154960.tif 000007
【図６】
2020154960.tif 000008
【図７】
2020154960.tif 000009
【図８】
2020154960.tif 000010
【図９】
2020154960.tif 000011
【図１０】
2020154960.tif 000012
【図１１】
2020154960.tif 000013
【図１２】
2020154960.tif 000014
【図１３】
2020154960.tif 000015
【図１４】
2020154960.tif 000016
【図１５】
2020154960.tif 000017
【図１６】
2020154960.tif 000018
【図１７】
2020154960.tif 000019
【図１８】
2020154960.tif 000020
【図１９】
2020154960.tif 000021
【図２０】
2020154960.tif 000022
【図２１】
2020154960.tif 000023
【図２２】
2020154960.tif 000024
【図２３】
2020154960.tif 000025